(57)【要約】      （修正有）【課題】換気型気化涼風扇と温風サーキュレータを兼用した、省スペース、省コストの省エネ空調機器の提案する。【解決手段】屋上外に給水された加湿エレメントを通気させる給気孔を有するダクトの天井付近の側面に少なくとも１ケ以上の屋内吸気孔１９を設けて、開閉可能なダンパ１により吸気と換気を切り替えて、その下部に給気ファンと電動機７を配置する。【選択図】図４
2011080659.tif 000002
【特許請求の範囲】
【請求項１】
屋上外に給水された加湿エレメント3を通気させる給気孔を有するダクトの天井付近の側面に少なくとも1ヶ以上の屋内吸気孔19を設けて、開閉可能なダンバ18により吸気と換気を切り替えて、その下部に給気ファン8と電動機7を配置してなるサーキュレータ
【請求項２】
その屋内吸気孔19全面に、熱交換器17を配置して、室内空気を加熱又は冷却する機能を追加した、請求項目1のサーキュレータ。
【請求項３】
給気ファン8と電動機7のダクト下部に加湿用のノズルや、熱交換器17下部に結露水ドレインを配置した、請求項目2のサーキュレータ。
【発明の詳細な説明】
【技術分野】
【０００１】
本発明は、実用新案登録第３１１７８０３号気化放熱式涼風装置の改良に関しており、サーキュレータ機能と冷暖房機能を追加したものである。
【背景技術】
【０００２】
前記考案の気化放熱式涼風装置では、清浄な外気を涼風にして給気が可能であり、しかも冷房装置よりランニングコストで約１／５、イニシャルコストで約１／４以下なので、工場などの大容量の空間空調では省エネ性で特に有効である。
【０００３】
しかし、前記考案は、気化熱を利用した冷風を屋外から取り込む装置であるが、冬季は外気が目的の室温より寒いために、利用できない。
【０００４】
工場内を暖房しても、暖気は天井空間に貯まり、人のいる作業空間(1〜2m)では寒いため、暖房しても効率が悪かった。
【０００５】
更に、工場では天井が高い(10〜30m)ため、サーキュレータも強力な大風量のものが求められていた。
【０００６】
一方、冷気は下に滞留するので、足元の冷気を吸って1〜2mの範囲に噴き出すユニット冷房もあるが、工場が広くて届かないし、設置場所が必要でダクトやドレン排水パイプを配置する必要があり、作業のじゃまになり易い。
【０００７】
本発明では、冬季不要となる気化放熱式涼風装置の下に、天井付近の側面に少なくとも1ヶ以上の屋内吸気孔を設けて、開閉可能なダンバ18により吸気と換気を切り替えて、その下部に給気ファンと電動機を配置してなるサーキュレータとする。
【０００８】
その屋内吸気孔全面に、フィルターと熱交換器17を配置して、室内空気を加熱又は冷却する機能を追加する。
【０００９】
給気ファンと電動機の下部に加湿用のノズルや、熱交換器17下部に結露水ドレインを配置する。
【先行技術文献】
【特許文献】
【００１０】
【特許文献１】実用新案登録第３１１７８０３号
【特許文献２】特願２００５−３０５２３７号
【発明の概要】
【発明が解決しようとする課題】
【００１１】
冬季では、気化涼風は役立たない為に、ダンバ18を閉じると、天井付近の側面に少なくとも1ヶ以上の屋内吸気孔が開く為、天井付近の温まった空気をその下部に配置した給気ファンと電動機で吹き下ろしてサーキュレータとして機能する。
【００１２】
その屋内吸気孔の全面に熱交換器を配置し、蒸気または温水またはヒートポンプの熱交換器でサーキュレート暖房し、暖房時には湿度が低下するので、必要に応じて加湿用の蒸気を噴霧する。
【００１３】
梅雨や雨天時には湿度が高くて気化しない為に涼風とならないが、その場合には、ダクトを閉じて外気を取り込まずに室内だけを循環しながら、ヒートポンプによる冷房の熱交換器としてサーキュレート冷房とする。
【００１４】
本発明では更に、特に高温の夏日には、ダンバを半分開いて、ヒートポンプと気化式の涼風との併用も可能である。
【課題を解決するための手段】
【００１５】
外気を換気しながら冷房する場合、工場の様な大空間を全て冷やすには、エネルギーはいくら有っても足りない。
【００１６】
そこで、ダンバを閉じてヒートポンプ冷房により、サーキュレートさせながらスポット的に冷房することで、省エネ技術となる。
【００１７】
冬季、梅雨や雨の日は、ダンバ18を遠隔ワイヤ手動回転操作や、電動モータによる開閉により、外気取り入れと天井空気取り入れを切り替えて循環させることで、工場等の大空間への冷暖房の省エネを図ることができた。
【００１８】
給気ファンや実用新案登録第３１１７８０３号気化放熱式涼風装置では、メンテナンス性から吸気ファン位置は屋根の上に配置しているが、本発明ではダクトの天井付近の側面吸気孔18から吸気するため、吸気ファン位置は吸気孔19より下部に移設してある。
【００１９】
気化冷却では風量が多く、サーキュレータと兼用では風速が速いので、インバータ制御でその風速を下げる必要がある。
【発明の効果】
【００２０】
本発明は、一台で換気型気化涼風扇と、温風サーキュレータを兼用にした省エネ空調機器であり、設置位置が屋上なので省スペースで且つ省コストとなる装置である。
【００２１】
更に、必要に応じてヒートポンプ冷暖房と室外機を組み込む事で、冬季の加熱や梅雨や雨天での省エネ空調として機能アップも可能である。
【００２２】
熱交換器への蒸気加熱や冷水冷房も可能なので、本格的なチラーやボイラーで完全な空調機としての機能も果たせる。
【００２３】
本発明では、暖房時の加湿機能や冷房時の除湿運転も可能であり、総合的な空調設備としても利用可能ある。
【発明を実施するための最良の形態】
【００２４】
屋上外に給水された加湿エレメントを通気させる給気孔を有するダクトの天井付近の側面に少なくとも1ヶ以上の屋内吸気孔19を設けて、開閉可能なダンバ18により吸気と換気を切り替えて、その下部に給気ファンと電動機を配置してなるサーキュレータ
【００２５】
その屋内吸気孔19全面に、フィルターと熱交換器17を配置して、室内空気を加熱又は冷却する機能を追加した、前項のサーキュレータ。
【００２６】
給気ファンと電動機の下部に加湿用のノズルや、熱交換器17下部に結露水ドレインを配置した、前項のサーキュレータ。
【本発明の利点と特徴】
【００２７】
本発明は、以下の箇条書きの特徴を有する。
【００２８】
・  屋上給気孔を有し、且つフィルターと加湿エレメント3と給水装置5を具備し気化涼風を供給できる。  
【００２９】
・  給気ダクトで室内に連結し、そのダクトの天井位置側面に吸気孔19を有する。
【００３０】
・  その給気孔19は、外気孔とダンバ18で選択給気される構造となっている。
【００３１】
・  そのダクト下部にベルマウス10付きの吸気ファン8と電動機6を配置している。
【００３２】
・  熱交換器17が垂直に設置してあり、その下にドレンがついている。
【００３３】
・  熱交換器を水平に設置して無いので、冷気に結露水の混入や滴下も無い。
【００３４】
・  熱交換器17を回転や移動させていないので、冷媒漏れや故障が少ない。
【００３５】
・  電動機7の下側に加湿蒸気ノズルを付けている。
【００３６】
・  既設の換気型気化涼風扇に、サーキュレータと冷暖房機を追加可能とした。
【００３７】
・  涼風給気と室内循環を選択できて、ミックスも可能である。
【００３８】
・  屋上への設置で、床面には機器のスペースが不要である。
【００３９】
・  オールシーズン稼働が可能となり、省エネ且つ省コストである。
【産業上の利用可能性】
【００４０】
大空間を有する工場等の、省エネと省コスト可能な部分空調システムとして、換気涼風扇とサーキュレート冷暖房扇のコンビネーションを提案している。
【００４１】
既設の換気涼風扇にも、サーキュレート冷暖房扇をオプションで追加可能である。
【００４２】
既設の自然換気装置やルーフファン（登録商標）にサーキュレータやサーキュレート冷暖房扇をオプションで追加可能となり、取り付け工事費が低減できる。
【実施例１】
【００４３】
実施例として、実用新案登録第３１１７８０３号気化放熱式涼風装置に本発明を追加し改造した物を示す。(図３、図４)
【００４４】
本発明と前記考案では、図４に示す様にファンモータの位置が異なっており、更にダクト側面に開けた吸入孔19と、それを開閉するダンバ18が追加されている点である。
【００４５】
図4で説明すると、ベース1と整流側面吸気孔19の間に、工場の屋根が有り、循環モード時は、側面の吸気孔19より天井付近の空気を取入可能で、上部屋外吸気孔はダンバ18で閉鎖されており、外気を取り込まない。
【００４６】
図４では、ダンバ18が涼風又は外気モードの時は、側面の吸気孔19はダンバ18で閉鎖されおり、上部屋外吸気孔から外気または涼風が取入れ可能と成っている。
【００４７】
風向を左右に振り分けたり、左右にスイングさせたりするルーパー11を最下端に設置している。
【図面の簡単な説明】
【００４８】
【図１】実用新案登録第３１１７８０３号気化放熱式涼風装置の平面図である。
【図２】実用新案登録第３１１７８０３号気化放熱式涼風装置の側面図である。
【図３】本発明の平面図である。
【図４】本発明の側面図である。
【符号の説明】
【００４９】
１  ：  屋根取付けベース(本体設置用保持)。
２  ：  気化放熱式涼風装置のボデイ。
３  ：  冷却エレメント(セルロース又は紙等)。
４  ：  排水ポンプ。
５  ：  循環ポンプ。
６  ：  ファンモータ  ステー(支え )
７  ：  モータ
８  ：  ファン。
９  ：  エアフィルタ
１０  ：  ベルマウス
１１  ：  オートスイングルーパーor風向変更用任意角度ルーバー 
１２  ：  フロートバルブ
１３  ：  散水パイプ
１４  ：  ドレーン用バルブ
１５  ：  ガードネット
１６  ：  薬注装置
１７  ：  蒸気or 温水ヒータorヒートポンプ熱交換器or電気ヒータ
１８  ：  涼風・循環切替ダンバ
１９  ：  整流取入孔
２０  ：  循環気流吸入孔
【図１】
2011080659.tif 000003
【図２】
2011080659.tif 000004
【図３】
2011080659.tif 000005
【図４】
2011080659.tif 000006